(57)【要約】【課題】所定以上の力でボルト又はナットを締め付けることを確実に規制して、これらボルト又はナットの螺合部分やボルト頭部等の破損を確実に防止できる折板屋根用取付具を提供する。【解決手段】下方に向けて拡開した断面略コ状の本体部１の両脚片２に、ボルト３を貫通したうえでナット４を螺合し、緊締して前記両脚片２を近接させ、前記両脚片２の下端から内方に向けて突設された当止片５を、折板屋根Ｙの上面に突設した凸部に挟着させて取り付けてなる折板屋根用取付具において、前記両脚片２の一方には、前記ボルト３が貫通する貫通穴２１の周縁に、前記ボルト頭部３２の少なくとも一つの角部３２ａを嵌合可能な嵌合凹部２１ａを設けたことを特徴とする。【選択図】図１
2010077693.tif 000002
【特許請求の範囲】
【請求項１】
下方に向けて拡開した断面略コ状の本体部の両脚片に、ボルトを貫通したうえでナットを螺合し、緊締して前記両脚片を近接させ、前記両脚片の下端から内方に向けて突設された当止片を、折板屋根の上面に突設した凸部に挟着させて取り付けてなる折板屋根用取付具において、
前記両脚片の一方には、前記ボルトが貫通する貫通穴の周縁に、前記ボルト頭部の少なくとも一つの角部を嵌合可能な嵌合凹部を設けたことを特徴とする折板屋根用取付具。
【請求項２】
請求項１において、
当止片の先端には、肉厚に形成された挟着部を形成してなる折板屋根用取付具。
【発明の詳細な説明】
【技術分野】
【０００１】
本発明は、折板屋根の上面に突設したハゼ部等の凸部に挟着させて取り付けてなる折板屋根用取付具に関する。
【背景技術】
【０００２】
一般に、折板屋根の上面には、例えば破風板を設けるための破風止め金具やテレビアンテナ、空調機器などの各種機器や器具類を配設するために折板屋根用取付具が取り付けされている。
【０００３】
具体的には、この折板屋根用取付具は、下方に向けて拡開した断面略コ状の本体部の両脚片に、ボルトが貫通する貫通穴を開設し、前記ボルトを貫通したうえでナットを螺合し、緊締して前記両脚片を近接させ、前記両脚片の下端から内方に向けて突設された当止片を、折板屋根のハゼ部に挟着させて取り付けてなる。
【０００４】
これらハゼ部は、分割された長尺の折板屋根を幅方向に連結するための連結部分であり、例えば、折板屋根の山部の上面に断面略円状に突出された丸ハゼや、断面略Ｌ状に突出された角ハゼ等があり、これらハゼ部の脚部に前記当止片を挟着させて取り付けてなる（例えば、特許文献１参照。）。
【特許文献１】特許第３３６８３７４号
【発明の開示】
【発明が解決しようとする課題】
【０００５】
しかしながら、前記ボルトをナットで緊締する際、前記両脚片の当止片が折板屋根のハゼ部を確実に挟着したときに、前記ボルト又はナットの締め付けを終えるのであるが、この挟着したときを判断するのは、締め付ける作業者の力加減によるものであるため、誤って前記ボルト又はナットを締め過ぎると、これらボルト又はナットの螺合部分やボルト頭部等を破損してしまうという問題があった。
【０００６】
本発明は、かかる課題を解決することを目的とし、所定以上の力でボルト又はナットを締め付けることを確実に規制して、これらボルト又はナットの螺合部分やボルト頭部等の破損を確実に防止できる折板屋根用取付具を提供する。
【課題を解決するための手段】
【０００７】
前記目的を達成するため、
請求項１に係る折板屋根用取付具は、下方に向けて拡開した断面略コ状の本体部の両脚片に、ボルトを貫通したうえでナットを螺合し、緊締して前記両脚片を近接させ、前記両脚片の下端から内方に向けて突設された当止片を、折板屋根の上面に突設した凸部に挟着させて取り付けてなる折板屋根用取付具において、前記両脚片の一方には、前記ボルトが貫通する貫通穴の周縁に、前記ボルト頭部の少なくとも一つの角部を嵌合可能な嵌合凹部を設けたことを特徴とする。
【０００８】
請求項２に係る折板屋根用取付具は、請求項１において、当止片の先端には、肉厚に形成された挟着部を形成してなる。
【発明の効果】
【０００９】
本発明によれば、次のような効果がある。
【００１０】
請求項１に係る折板屋根用取付具によれば、両脚片の一方には、ボルトが貫通する貫通穴の周縁に、前記ボルト頭部の少なくとも一つの角部を嵌合可能な嵌合凹部を設けているので、前記ボルトとナットを螺合し、緊締すれば、前記両脚片の当止片が折板屋根の上面に突設した凸部を挟着すると同時に、下方に向けて拡開した断面略コ状の両脚片が近接して狭まるため、前記両脚片が略平行な状態となる。
【００１１】
そして、前記ボルトとナットを螺合した状態を維持しながら、前記嵌合凹部に嵌合していた前記ボルト頭部の角部が、前記嵌合凹部から離脱して、所謂、空回り状態となり、これ以上の前記ボルト又はナットの緊締を規制できる。
【００１２】
そのため、作業者が誤って前記ボルト又はナットを締め過ぎても、前記ボルト頭部の角部が、前記嵌合凹部から離脱して、所謂、空回り状態となるため、これ以上の前記ボルト又はナットの緊締を確実に規制して、これらボルト又はナットの螺合部分やボルト頭部等を破損することを確実に防止できる。
【００１３】
請求項２に係る折板屋根用取付具によれば、当止片の先端には、肉厚に形成された挟着部を形成してなるので、前記当止片を折板屋根の上面に突設したハゼ部、ボルト体等の凸部に挟持して取り付けた際、前記挟着部によって前記ハゼ部、ボルト体等の凸部を更に確実に取り付けできる。
【発明を実施するための最良の形態】
【００１４】
以下、本発明に係る折板屋根用取付具Ａを図面とともに説明する。
【実施例１】
【００１５】
図１は、本発明に係る折板屋根用取付具Ａの一実施例を示す分解斜視図であり、図２（ａ），（ｂ）及び図３（ｃ），（ｄ）は、図１で示した折板屋根用取付具Ａの施工状態を示す断面図である。
【００１６】
なお、図２（ａ）は、折板屋根用取付具Ａを折板屋根に取り付ける前の状態を示す断面図、図２（ｂ）は、折板屋根用取付具Ａを折板屋根のハゼ部Ｃに嵌挿した状態を示す断面図、図３（ｃ）は、折板屋根用取付具Ａを折板屋根のハゼ部Ｃに取り付けた状態を示す断面図、図３（ｄ）は、取り付けた折板屋根用取付具Ａに各種機器や器具類を更に取り付けた状態を示す断面図を各々示している。
【００１７】
以下、詳説する。
【００１８】
本発明の折板屋根用取付具Ａは、下方に向けて拡開した断面略コ状の本体部１の両脚片２に、ボルト３を貫通したうえでナット４を螺合し、緊締して両脚片２を近接させ、両脚片２の下端から内方に向けて突設された当止片５を、折板屋根Ｙの上面に突設したハゼ部Ｃ等の凸部に挟着させて取り付けてなる折板屋根用取付具において、両脚片２の一方には、ボルト３が貫通する貫通穴２１の周縁に、ボルト頭部３２の少なくとも一つの角部３２ａを嵌合可能な嵌合凹部２１ａを設けたことを特徴とする。
【００１９】
ここで、ハゼ部Ｃ等の凸部とは、分割された長尺の折板屋根Ｙを連結する際に、折板屋根Ｙの上面に断面略円状に突出された丸ハゼ型のハゼ部Ｃ等を意味するものであり、本実施例以外の凸部として、例えば、折板屋根Ｙの上面に断面略Ｌ状に突出された角ハゼ等については同様であるため、前記角ハゼ等の説明については省略する。
【００２０】
本体部１は、金属板又は硬質樹脂板を、下方に向けて拡開した断面略コ状に形成し、対向する両脚片２には、ボルト３の軸部３１が貫通可能な貫通孔２１を各々開設している。
【００２１】
又、両脚片２を架設する本体部１の上板１１中央には、剣先ボルト１２等を立設し、後述する各種機器や器具類を取り付け可能にしている。
【００２２】
そして、貫通孔２１の一方には、ボルト頭部３２の角部３２ａを嵌合するために、貫通孔２１に連続して角状に切り欠いた嵌合凹部２１ａを形成している。
【００２３】
又、両脚片２の下端には、内方に向けて各々当止片５を突設しており、これら当止片５の先端同士には、ハゼ部Ｃが嵌挿する程度の隙間５１を設けている。
【００２４】
ここで、当止片５の先端によって、ハゼ部Ｃの脚部Ｃ１を挟着するのであるが、当止片５を単に脚部Ｃ１に挟着しただけでは、当止片５を近接させた場合にズレが生じて、脚部Ｃ１を十分に挟持できない恐れもある。
【００２５】
そのため、本発明では、更に、当止片５の先端には、リブ、折り返し等によって肉厚に形成された挟着部５２を形成しており、ここでは、当止片５の前、後に亘ってリブを形成して挟着部５２を構成している。
【００２６】
このようなリブによる挟着部５２によれば、リブの一般的な効果である当止片５の強化を図ることができるだけでなく、当止片５の先端を肉厚に形成して当止片５をハゼ部Ｃの脚部Ｃ１に挟持して取り付けた際、肉厚の挟着部５２によってハゼ部Ｃの脚部Ｃ１との接触面積が増して更に確実に取り付けできる。
【００２７】
又、本実施例では、当止片５の先端略中央に、折板屋根Ｙの上面に突設した後述するボルト体Ｂの外周面に嵌合可能な凹所６を形成しており、具体的には、凹所６は、ボルト体Ｂを両側から嵌合するように当止片５の先端中央を半円状に切り欠くか、又は、先端中央を角状に切り欠いて形成している。
【００２８】
以上のように構成した本発明の折板屋根用取付具Ａは、以下の要領で折板屋根Ｙに取り付けて使用する。
【００２９】
先ず、両脚片２の貫通孔２１の一方からボルト３の軸部３１を貫通したうえで、ボルト３の先端側からナット４を軽く締めて仮止め状態にしたうえで、折板屋根Ｙに立設されたハゼ部Ｃの上方から、両脚片２の隙間５１を通じてハゼ部Ｃを嵌挿する。この状態の両脚片２は、上方に向けて狭くなるように対向しており、略台形の側辺に貫通孔２１が貫通するようになる〔図２（ａ），（ｂ）、参照。〕。
【００３０】
次に、仮止め状態にしていたボルト３及びナット４を緊締すると、この締め付け力によって両脚片２が近接して、両脚片２下端の当止片５も互いに近接し、この当止片５に設けた挟着部５２が、ハゼ部Ｃの脚部Ｃ１を挟持する。もっとも、本実施例では、当止片５の先端を肉厚に形成して挟着部５２を形成しているため、この挟着部５２先端が脚部Ｃ１に各々挟着する。
【００３１】
そして、ボルト３及びナット４を更に緊締すると、この締め付け力によって両脚片２が更に近接する。両脚片２は、上方に向けて狭くなるように対向していた（略台形）のが、徐々に平行に近づき、やがて、両脚片２が平行な状態となり、ボルト３と両脚片２の接する面も平行な状態となる。
【００３２】
このとき、嵌合凹部２１ａに嵌合していたボルト頭部３２の角部３２ａが、嵌合凹部２１ａから離脱して、所謂、空回り状態となり、これ以上のボルト３又はナット２の緊締を規制すると共に、当止片５にて脚部Ｃ１を強固に挟持して本体部１をハゼ部Ｃの脚部Ｃ１に取り付けできる〔図３（ｃ）、参照。〕。
【００３３】
最後に、この取り付けた折板屋根用取付具Ａの本体部１の上板１１に立設された剣先ボルト１２等に、従来同様にして各種機器や器具類Ｄ等を取り付けて施工を完了するのである〔図３（ｄ）、参照。〕。
【００３４】
このように、本発明に係る折板屋根用取付具Ａによれば、作業者が誤ってボルト３又はナット２を締め過ぎても、ボルト頭部３２の角部３２ａが、嵌合凹部２１ａから離脱して、所謂、空回り状態となるため、これ以上のボルト３又はナット２の緊締を確実に規制して、これら本体部１の両脚片２及び当止片５の変形、並びに、ボルト３又はナット２の螺合部分やボルト頭部等を破損することを確実に防止できる。
【実施例２】
【００３５】
図４は、本発明に係る折板屋根用取付具Ａの他の実施例を示す分解斜視図であり、図５（ａ），（ｂ）及び図６（ｃ），（ｄ）は、図４で示した折板屋根用取付具Ａの施工状態を示す断面図である。
【００３６】
なお、図５（ａ）は、折板屋根用取付具Ａを折板屋根に取り付ける前の状態を示す断面図、図５（ｂ）は、折板屋根用取付具Ａを折板屋根のボルト体Ｂに取り付けた状態を示す断面図、図６（ｃ）は、折板屋根用取付具Ａを折板屋根のボルト体Ｂに取り付けた状態を示す断面図、図６（ｄ）は、取り付けた折板屋根用取付具Ａに各種機器や器具類を更に取り付けた状態を示す断面図を各々示している。
【００３７】
ここで、図１〜図３と共通す部位には、同一の符号を付して、重複する説明を省略し、以下では、本実施例の特徴についてのみ説明する。
【００３８】
すなわち、本実施例では、折板屋根Ｙの連結構造が、図１〜図３で示したようなハゼ部Ｂではなく、隣接する折板屋根Ｙの山部同士を重合したうえで、その適所に下方から剣先ボルト等のボルト体Ｂを貫通すると共に、このボルト体Ｂにナットを螺合して、分割された長尺の折板屋根Ｙを幅方向に連結してなる構造（以下、「重ね式構造」と呼ぶ。）に対して、図１〜図３で示した折板屋根用取付具Ａを用いる場合について説明している。
【００３９】
具体的には、本発明の折板屋根用取付具Ａをボルト体Ｂに取り付ける場合には、当止片５の先端ではなく、当止片５の先端略中央に形成した凹所６を、ボルト体Ｂの外周面に嵌合させて取り付けることとなる。
【００４０】
ここで、凹所６として、当止片５の先端中央を半円状や角状に切り欠いて形成しただけでは、当止片５を近接させた場合にボルト体Ｂを十分に挟持できない恐れもある。
【００４１】
そのため、本実施例では、凹所６に、ボルト体Ｂのネジ溝Ｂ１に食い込んで係止可能な切り起し片６１を複数形成してなる。
【００４２】
具体的には、図４中の破線で囲んだ凹所６の拡大平面図に示すように、凹所６の中央部分に２条の切込溝６１ａを形成し、この切込溝６１ａに挟まれた片を上方に起立させて１つの起り起し片６１を形成すると共に、起立されていない凹所６の内縁部分を他の切り起し片６１として、複数の切り起し片６１を形成している。
【００４３】
このような複数の切り起し片６１を凹所６に形成することで、凹所６をボルト体Ｂの外周面に嵌合して取り付けた際、複数の切り起し片６１がボルト体Ｂのネジ溝Ｂ１に異なる位置に各々係止して強固に挟持でき、更に、当止片５を近接させた場合に複数の切り起し片６１がボルト体Ｂを下方に押圧する作用を生じるために、凹所６及び切り起し片６１によってボルト体Ｂを更に確実に取り付けできる。
【００４４】
以上のように構成した本発明の折板屋根用取付具Ａは、以下の要領で折板屋根Ｙに取り付けて使用する。
【００４５】
先ず、両脚片２の軸孔２１の一方からボルト３の軸部３１を貫通したうえで、ボルト３の先端側からナット４を軽く締めて仮止め状態にしたうえで、折板屋根Ｙに立設されたボルト体Ｂの上方から、両脚片２の隙間５１を通じてボルト体Ｂを嵌挿する〔図５（ａ），（ｂ）、参照。〕。
【００４６】
次に、仮止め状態にしていたボルト３及びナット４を緊締すると、この締め付け力によって両脚片２が近接して、両脚片２下端の当止片５も互いに近接し、この当止片５に設けた凹所６がボルト体Ｂの外周面に嵌合してボルト体Ｂを挟持する。もっとも、本実施例では、ボルト体Ｂのネジ溝Ｂ１に食い込んで係止可能な複数の切り起し片６１を形成しているため、本実施例の場合では、複数の切り起し片６１がボルト体Ｂのネジ溝Ｂ１に各々食い込んで、ボルト体Ｂを複数の位置で挟持する。
【００４７】
そして、ボルト３及びナット４を更に緊締すると、この締め付け力によって両脚片２が更に近接して、やがて、両脚片２が平行な状態となるが、このとき、嵌合凹部２１ａに嵌合していたボルト頭部３２の角部３２ａが、嵌合凹部２１ａから離脱して、所謂、空回り状態となり、これ以上のボルト３又はナット２の緊締を規制すると共に、凹所６がボルト体Ｂの外周面に嵌合し、複数の切り起し片６１がボルト体Ｂのネジ溝Ｂ１に各々食い込んで、ボルト体Ｂを強固に挟持して確実に取り付けできる〔図６（ｃ）、参照。〕。
【００４８】
最後に、この取り付けた折板屋根用取付具Ａの本体部１の上板１１に立設された剣先ボルト１２等に、従来同様にして各種機器や器具類Ｄを取り付けて施工を完了するのである〔図６（ｄ）、参照。〕。
【００４９】
このように、本発明に係る折板屋根用取付具Ａによれば、作業者が誤ってボルト３又はナット２を締め過ぎても、ボルト頭部３２の角部３２ａが、嵌合凹部２１ａから離脱して、所謂、空回り状態となるため、これ以上のボルト３又はナット２の緊締を確実に規制して、これら本体部１の両脚片２及び当止片５の変形、並びに、ボルト体Ｂのネジ溝Ｂ１、及び、ボルト３又はナット２の螺合部分やボルト頭部等を破損することを確実に防止できる。
【図面の簡単な説明】
【００５０】
【図１】本発明に係る折板屋根用取付具Ａの一実施例を示す分解斜視図である。
【図２】（ａ），（ｂ）は、図１で示した折板屋根用取付具Ａの施工状態を示す断面図である。
【図３】（ｃ），（ｄ）は、図１で示した折板屋根用取付具Ａの施工状態を示す断面図である。
【図４】本発明に係る折板屋根用取付具Ａの他の実施例を示す分解斜視図である。
【図５】（ａ），（ｂ）は、図４で示した折板屋根用取付具Ａの施工状態を示す断面図である。
【図６】（ｃ），（ｄ）は、図４で示した折板屋根用取付具Ａの施工状態を示す断面図である。
【符号の説明】
【００５１】
Ａ    折板屋根用取付具
Ｂ    ボルト体
Ｂ１  ネジ溝
Ｃ    ハゼ部
Ｙ    折板屋根
１    本体部
２    両脚片
３    ボルト
４    ナット
５    当止片
５２  挟着部
６    凹所
６１  切り起し片
【図１】
2010077693.tif 000003
【図２】
2010077693.tif 000004
【図３】
2010077693.tif 000005
【図４】
2010077693.tif 000006
【図５】
2010077693.tif 000007
【図６】
2010077693.tif 000008
【手続補正書】
【提出日】平成21年3月11日(2009.3.11)
【手続補正１】
【補正対象書類名】明細書
【補正対象項目名】００２２
【補正方法】変更
【補正の内容】
【００２２】
そして、貫通穴２１の一方には、ボルト頭部３２の角部３２ａを嵌合するために、貫通穴２１に連続して角状に切り欠いた嵌合凹部２１ａを形成している。
【手続補正２】
【補正対象書類名】明細書
【補正対象項目名】００２９
【補正方法】変更
【補正の内容】
【００２９】
先ず、両脚片２の貫通穴２１の一方からボルト３の軸部３１を貫通したうえで、ボルト３の先端側からナット４を軽く締めて仮止め状態にしたうえで、折板屋根Ｙに立設されたハゼ部Ｃの上方から、両脚片２の隙間５１を通じてハゼ部Ｃを嵌挿する。この状態の両脚片２は、上方に向けて狭くなるように対向しており、略台形の側辺に貫通穴２１が貫通するようになる〔図２（ａ），（ｂ）、参照。〕。
【手続補正３】
【補正対象書類名】明細書
【補正対象項目名】００３４
【補正方法】変更
【補正の内容】
【００３４】
このように、本発明に係る折板屋根用取付具Ａによれば、作業者が誤ってボルト３又はナット４を締め過ぎても、ボルト頭部３２の角部３２ａが、嵌合凹部２１ａから離脱して、所謂、空回り状態となるため、これ以上のボルト３又はナット４の緊締を確実に規制して、これら本体部１の両脚片２及び当止片５の変形、並びに、ボルト３又はナット４の螺合部分やボルト頭部等を破損することを確実に防止できる。
【手続補正４】
【補正対象書類名】明細書
【補正対象項目名】００３６
【補正方法】変更
【補正の内容】
【００３６】
なお、図５（ａ）は、折板屋根用取付具Ａを折板屋根に取り付ける前の状態を示す断面図、図５（ｂ）は、折板屋根用取付具Ａを折板屋根のボルト体Ｂに嵌挿した状態を示す断面図、図６（ｃ）は、折板屋根用取付具Ａを折板屋根のボルト体Ｂに取り付けた状態を示す断面図、図６（ｄ）は、取り付けた折板屋根用取付具Ａに各種機器や器具類を更に取り付けた状態を示す断面図を各々示している。
【手続補正５】
【補正対象書類名】明細書
【補正対象項目名】００４３
【補正方法】変更
【補正の内容】
【００４３】
このような複数の切り起し片６１を凹所６に形成することで、凹所６をボルト体Ｂの外周面に嵌合して取り付けた際、複数の切り起し片６１がボルト体Ｂのネジ溝Ｂ１の異なる位置に各々係止して強固に挟持でき、更に、当止片５を近接させた場合に複数の切り起し片６１がボルト体Ｂを下方に押圧する作用を生じるために、凹所６及び切り起し片６１によってボルト体Ｂを更に確実に取り付けできる。
【手続補正６】
【補正対象書類名】明細書
【補正対象項目名】００４５
【補正方法】変更
【補正の内容】
【００４５】
先ず、両脚片２の貫通穴２１の一方からボルト３の軸部３１を貫通したうえで、ボルト３の先端側からナット４を軽く締めて仮止め状態にしたうえで、折板屋根Ｙに立設されたボルト体Ｂの上方から、両脚片２の隙間５１を通じてボルト体Ｂを嵌挿する〔図５（ａ），（ｂ）、参照。〕。
【手続補正７】
【補正対象書類名】明細書
【補正対象項目名】００４７
【補正方法】変更
【補正の内容】
【００４７】
そして、ボルト３及びナット４を更に緊締すると、この締め付け力によって両脚片２が更に近接して、やがて、両脚片２が平行な状態となるが、このとき、嵌合凹部２１ａに嵌合していたボルト頭部３２の角部３２ａが、嵌合凹部２１ａから離脱して、所謂、空回り状態となり、これ以上のボルト３又はナット４の緊締を規制すると共に、凹所６がボルト体Ｂの外周面に嵌合し、複数の切り起し片６１がボルト体Ｂのネジ溝Ｂ１に各々食い込んで、ボルト体Ｂを強固に挟持して確実に取り付けできる〔図６（ｃ）、参照。〕。
【手続補正８】
【補正対象書類名】明細書
【補正対象項目名】００４９
【補正方法】変更
【補正の内容】
【００４９】
このように、本発明に係る折板屋根用取付具Ａによれば、作業者が誤ってボルト３又はナット４を締め過ぎても、ボルト頭部３２の角部３２ａが、嵌合凹部２１ａから離脱して、所謂、空回り状態となるため、これ以上のボルト３又はナット４の緊締を確実に規制して、これら本体部１の両脚片２及び当止片５の変形、並びに、ボルト体Ｂのネジ溝Ｂ１、及び、ボルト３又はナット４の螺合部分やボルト頭部等を破損することを確実に防止できる。